(57)【特許請求の範囲】
【請求項１】
チェーン部材（１）が、縁及び側面（４，５，６）を持ち間隔を置いて互いに対向する２つのチェーン片（２，３）、及びこれらのチェーン片（２，３）を結合する少なくとも１つの横棒（７）を有し、取付けユニット（８）が、チェーン片（２，３）の長手方向に延びて互いに間隔を置いた複数の橋絡片（９，１０）を有する、取付け装置において、取付けユニット（８）、横棒（７）及び／又は少なくとも１つのチェーン片（２，３）が、共同動作する結合手段（１３，１４，２０，２１，２２，２３，２６，２７）を有し、これらの結合手段により取付けユニット（８）が、チェーン部材（１）の中へ向けられた橋絡片（１０）、又はチェーン部材（１）の中及びチェーン部材（１）の外へ向けられた橋絡部材（１０，９）により、横棒（７）及び／又は少なくとも１つのチェーン片（２，３）に結合可能であることを特徴とする、取付け装置。
【請求項２】
取付けユニット（８）が、結合手段（２０，２１）を有し、これらの結合手段が、横棒（７）を少なくとも部分的に回りからつかんでいることを特徴とする、請求項１に記載の取付け装置。
【請求項３】
結合手段が、少なくとも１つのストッパ（２０，２１）を有し、このストッパが、チェーン部材（１）の長手方向に対して横向きに延びた横棒（７）の縁範囲に少なくとも接触することができることを特徴とする、請求項２に記載の取付け装置。
【請求項４】
横棒（７）が、結合手段として構成された２つのストッパ（２０，２１）の間に配置されていることを特徴とする、請求項３に記載の取付け装置。
【請求項５】
ストッパ（２０，２１）が、フィンによって形成されていることを特徴とする、請求項３又は４に記載の取付け装置。
【請求項６】
橋絡片（９，１０）が、ストッパ（２０，２１）に少なくとも部分的に一体形成されていることを特徴とする、請求項３又は４又は５に記載の取付け装置。
【請求項７】
横棒（７）が、長手方向に延びた縁面（４）に対して間隔を置いて配置されており、取付けユニット（８）が、横棒（７）に接して、長手方向に延びた縁面（４）と少なくとも部分的に同一面内にあることを特徴とする、請求項１ないし６の１つに記載の取付け装置。
【請求項８】
横棒（７）が、少なくとも１つの係止突起（１３，１４）の形の結合手段を有し、この係止突起が、取付けユニット（８）の相応する収容部（２２，２３，２６）内に噛み合っていることを特徴とする、請求項７に記載の取付け装置。
【請求項９】
横棒（７）が、長手方向に対して横向きに延びた線上に配置されて互いに間隔を置いた少なくとも２つの係止突起（１３，１４）を有することを特徴とする、請求項８に記載の取付け装置。
【請求項１０】
係止突起（１３，１４）が、長手方向に延びた縁面（４）と少なくとも部分的に同一面内にあることを特徴とする、請求項８又は９に記載の取付け装置。
【請求項１１】
少なくとも２つの係止突起（１３，１４）が、それぞれ１つの通過穴（１７，１８）を有することを特徴とする、請求項８又は９又は１０に記載の取付け装置。
【請求項１２】
それぞれのチェーン片（２，３）が、長手方向に延びた縁面（４）に、取付けユニット（８）を形状及び／又は力結合して保持する切り欠き（２７）を有することを特徴とする、請求項１ないし１１の１つに記載の取付け装置。
【請求項１３】
取付けチェーン部材が、縁及び側面（４，５，６）を持ち間隔を置いて互いに対向する２つのチェーン片（２，３）、及びこれらのチェーン片（２，３）を結合する少なくとも１つの横棒（７）を有し、取付けユニット（８）が、チェーン片（２，３）の長手方向に延びて互いに間隔を置いた複数の橋絡片（９，１０）を有する、エネルギーガイドチェーンの端部取付けチェーン部材において、取付けユニット（８）、横棒（７）及び／又は少なくとも１つのチェーン片（２３）が、共同動作する結合手段（１３，１４，２０，２１，２２，２３，２６，２７）を有し、これらの結合手段により取付けユニット（８）が、取り外し可能に、チェーン部材（１）の中へ向けられた橋絡片（１０）、又はチェーン部材（１）の中及びチェーン部材（１）の外へ向けられた橋絡部材（１０，９）により、横棒（７）及び／又は少なくとも１つのチェーン片（２，３）に結合可能であることを特徴とする、、エネルギーガイドチェーンの端部取付けチェーン部材。
【発明の詳細な説明】
本発明は、チェーン部材及びライン用の取付けユニットを有する取付け装置に関する。
あらゆる様式の消費媒体を可動の装置及び機械に供給するために、供給ラインが利用され、これらの供給ラインは、エネルギーガイドチェーン内に案内される。エネルギーガイドチェーンの一方の端部は、定置に配置されている。エネルギーガイドチェーンの他方の端部は、装置又は機械に接続されている。エネルギーガイドチェーンは、互いに関節状に結合された多数のチェーン部材を含んでいる。
動作中にエネルギーガイドチェーンは、曲げ交互応力を受ける。エネルギーガイドチェーン内に案内されかつ保持される供給ラインも、交互曲げ負荷を受ける。それ故に供給ラインは、少なくともエネルギーガイドチェーンの可動の端部に引っ張り負荷を逃すように取付けられていることが必要である。ラインを引っ張り負荷を逃すように取付けるための例は、ドイツ連邦共和国実用新案登録第Ｇ９４１７３７９．６号明細書によって公知である。ラインの引っ張り負荷を逃す取付けのために、エネルギーガイドチェーンのための端部取付け部分が、くし形又はくまで形の接続プロファイルを有し、この接続プロファイルの支持プロファイルに配置された歯が、エネルギーガイドチェーン又は供給ラインの長手方向に互いに間隔を置いて延びていることが提案される。支持プロファイルは、端部取付けチェーン部材のチェーン片の間に配置されており又は取付け可能である。接続部分は、チェーン取付け部材と一片で構成することができる。その他に、くし形又はくまで形の接続プロファイルの支持プロファイルが、端部取付けチェーン部材の底部側の取付け縁の保持溝内に挿入可能であることが周知である。
ドイツ連邦共和国特許出願公開第４４０９５１７号明細書によれば、ラインのために引っ張り負荷を逃す装置が公知である。装置は、くし形の部材及び結合要素を有し、これらの結合要素によって供給ラインは、ライン方向に延びた歯に結合可能である。結合要素において、それ自体周知のケーブル保持体が問題になる。部材は、歯を有し、これらの歯は、その両方の側に向かってかつ反対方向に構成されており、その際、一方の側における歯は、他方の側における歯よりも幅広い。
本発明の課題は、空間を節約して構成された、チェーン部材及び供給ライン用の取付けユニットを有する取付け装置を提供することにある。本発明の別の目的は、取付けユニットの機械的な負荷を減少する取付け装置を提供することにある。
本発明によれば、これらの課題は、請求の範囲第１項の特徴を有する取付け装置によって解決される。有利な変形及び構成は、請求の範囲従属請求項の対象である。
本発明による取付け装置は、チェーン部材及び取付けユニットを含む。チェーン部材は、互いに間隔を置いた互いに対向する２つのチェーン片を有する。チェーン片は、横棒によって互いに結合されている。取付けユニットは、チェーン片の長手方向に延びた互いに間隔を置いた橋絡片を有する。取付けユニット、横棒及び／又は少なくとも１つのチェーン片は、共同動作する結合手段を有し、これらの結合手段により取付けユニットは、チェーン部材の中へ向けられた橋絡片、又はチェーン部材の中及びチェーン部材の外へ向けられた橋絡片により、横棒及び／又は少なくとも１つのチェーン片に結合可能である。本発明による取付け装置において取付けユニットは、取付けユニットの橋絡片がチェーンの中へ向けられているように、横棒及び／又は少なくとも１つのチェーン片に結合することができる。取付け装置のこの構成によって、取付けユニットはチェーン部材を越えて突出していないので、取付けのために追加的な組込み空間は必要ない。この処置によって、チェーン部材及び取付けユニットを有する取付け装置が準備され、この取付け装置は、すでに動作中にあるエネルギーガイドチェーンにおいても利用することができる。それによりエネルギーガイドチェーンに本発明による取付け装置を後から装備する可能性が与えられる。後から装備する費用は、さらになお詳細に説明するように、比較的わずかである。取付けチェーン部材の交換だけしか必要ない。
本発明による取付け装置によって、それぞれの供給ラインを供給ラインの長手方向に互いに間隔を置いた２つの範囲において取付ける可能性も提供される。供給ラインの取付けは、チェーン部材内に内方に向いた及びチェーン部材から外方に向いた橋絡片に結合することができる。内方に向いた及び外方に向いた橋絡片と供給ラインの結合は、それ自体周知の可とう性のライン保持体によって行なうことができる。取付け装置のこの構成によって、供給ラインが常に確実に取付けユニットに結合されていることが保証される。１つのライン保持体の故障又は不正な取付けの際、別のライン保持体が、取付けの役割を引受ける。さらにこの配置によって、供給ラインから出て取付けユニットへの、したがってチェーン部材へのさらに望ましい力の導入が達成され、それによりこれは、さらに小さな規模で機械的な負荷を受ける。
取付けユニットが、結合手段を有し、これらの結合手段が、横棒を少なくとも部分的に回りからつかんでいる、取付け装置は有利である。この構成は、取付けユニットが、横棒においてさらに容易に位置決め可能であり、かつ他方において横棒への大きな面積の力導入が可能になるという利点を有する。
さらに有利な構成によれば、結合手段が、少なくとも１つのストッパを有し、このストッパが、大体においてチェーン部材の長手方向に対して横向きに延びた横棒の縁範囲に少なくとも接触することができることが提案される。その際、横棒が、結合手段として構成された２つのストッパの間に配置されている構成は、有利である。その際、ストッパの間の間隔は、横棒上に結合手段を押付けるように、決めることができる。それによりすでに部分的にあらかじめ組み立てられた取付け装置を準備することができる。
結合装置のストッパは、なるべくフィンの形に構成されている。取付けユニットは、なるべく一片で構成されている。取付けユニットを製造するために利用される材料は、利用分野に依存する。その際、合成物質からなる取付けユニットの構成は有利である。取付けユニットの一片の構成の際、橋絡片は、ストッパに少なくとも部分的に一体形成されている。
取付け装置の別のとくに有利な構成によれば、次のことが提案される。すなわち横棒が、長手方向に延びた縁面に対して間隔を置いてチェーン片の間に配置されており、その際、取付けユニットが、なるべく横棒に接して、長手方向に延びた縁面と少なくとも部分的に同一面内にある。取付け装置のこの構成により、取付けユニットは、横棒によって平らな載せ又は接触面に向かって押され、この載せ又は接触面に向かって、長手方向に延びたチェーン片の縁面も押される。
横棒は、なるべく少なくとも１つの係止突起の形の結合手段を有し、この係止突起は、取付けユニットの相応する収容部内に噛み合っている。大体において長手方向に対して横向きに延びた線上に配置された互いに間隔を置いた少なくとも２つの係止突起は有利である。取付けユニットは、それぞれの係止突起に対して１つの別個の収容部を有する。例えば２つの係止突起が、共通の収容部内に突出する、取付けユニットの構成も可能である。取付けユニットのこの構成は、２つのチェーン片の間の間隔が比較的小さいときに、とくに目的に合っている。
本発明による取付け装置の簡単化されたかつ目的に合った取付けのために、次のことが提案される。すなわち少なくとも２つの係止突起が、それぞれ１つの通過穴を有し、かつ係止突起が、長手方向に延びた縁面と少なくとも部分的に同一面内にある。この構成により、取付け費用を増加することなく、すでに周知の取付けチェーン部材の交換を行なうことができる。チェーン部材は、個別的に、すなわち端部取付けチェーン部材として取付けユニットを用いずに利用することもできる。なぜなら接触又は載せ面への押付け力は、長手方向に延びた縁面と少なくとも部分的に同一面内にある係止突起によって導入されるからである。
取付け装置の別の有利な構成は、次の点にある。すなわちそれぞれのチェーン片が、長手方向に延びた縁面に、取付けユニットを形状及び／又は力結合して保持する切り欠きを有する。チェーン片のこのような構成において、係止突起の構成は省略することができる。なぜならその機能的な役割は、長手方向に延びたチェーン片の縁面における切り欠きによって受け持たれるからである。
さらに本発明による取付けチェーン部材が、とくにエネルギーガイドチェーンの端部取付け部材が提案され、この取付けチェーン部材は、縁及び側面を有する互いに間隔を置いた互いに対向する２つのチェーン片、及びチェーン片を結合する少なくとも１つの横棒を有する。取付けチェーン部材は、取付けユニットを有し、この取付けユニットは、チェーン片の長手方向に延びた互いに間隔を置いた橋絡片を有する。取付けチェーン部材の取付けユニット、横棒及び／又は少なくとも１つのチェーン片は、共同動作する結合手段を有し、それにより取付けユニットは、なるべく取り外し可能に、チェーン部材内に内方に、又はチェーン部材内に内方にかつここから外方に向けられた橋絡片とともに、横棒及び／又は少なくとも１つのチェーン片に結合可能である。取付けチェーン部材の変形は、なるべく請求項１ないし１２に記載の取付け装置の変形に相当する。
本発明による取付け装置のその他の利点及び詳細を図面に示した３つの実施例により説明する。ここでは：
図１は、取付け装置の第１の実施例を断面図で示し、
図２は、図１による取付け装置を平面図で示し、
図３は、図１による取付け装置のチェーン部材を下面図で示し、
図４は、図１による取付け装置の取付けユニットを正面図で示し、
図５は、図４による取付けユニットを平面図で示し、
図６は、取付け装置の第２の実施例を断面図で示し、
図７は、図６による取付け装置を平面図で示し、
図８は、図６による取付け装置の取付けユニットを平面図で示し、
図９は、取付け装置の第３の実施例を断面図で示し、
図１０は、図３による取付け装置を平面図で示し、
図１１は、図９による取付け装置の取付けユニットを平面図で示し、図１２は、取付けユニットの別の構成を示し、
図１３は、図９による取付け装置のチェーン部材を平面図で示し、
図１４は、取付け装置用のチェーン部材の構成を正面図で示し、
図１５は、図１４によるチェーン部材の切断線Ａ−Ａに沿った断面表示を示し、
図１６は、図１４によるチェーン部材の下面図を示し、
図１７は、図１４によるチェーン部材の詳細Ｚを拡大して示している。
図１及び２は、取付け装置の第１の構成を示している。取付け装置は、チェーン部材１を有する。チェーン部材１は、互いに間隔を置いた互いに対向する２つのチェーン片２、３を有する。それぞれのチェーン片２、３は、縁面４を有し、この縁面は、取付け装置の取付けた状態において、図示しない装置に接触している。それぞれのチェーン片２、３は、側面５、６を有する。チェーン片２、３は、横棒７を介して互いに結合されている。取付け装置は、取付けユニット８を有する。取付けユニット８は、チェーン片２、３の長手方向に延びた互いに間隔を置いた橋絡片９、１０を有し、これらの橋絡片は、反対方向に向けて構成されている。それぞれの橋絡片９、１０は、その自由端に頭１１又は１２を有し、この頭は、横断面において橋絡片９又は１０の横断面よりも大きい。
さらに取付け装置は、結合手段を有し、これらの結合手段により取付けユニット８は、横棒７と共同動作し、それにより取付けユニット８は、チェーン部材１内に内方に向いた橋絡片１０、及びチェーン部材１から外方に向けられた橋絡片９に結合可能である。
図１から明らかなように、横棒７は、長手方向に延びた縁面４に対して間隔を置いて形成されている。横棒７は、係止突起１３、１４の形の結合手段を有する。係止突起１３、１４は、互いに間隔を置いており、かつ大体においてチェーン部材の長手方向に対して横向きに延びた線上にある。係止突起１３、１４の端面１５、１６は、平らに形成されており、かつチェーン片２又は３の縁面４と同一面内にある。通過開口１７、１８は、大体において縁面４に対して垂直に延びている。通過開口１７、１８を通して、例えばねじの形の結合手段が案内でき、かつ図示しない載せ部にねじ止めすることができる。
図４及び５は、図１による取付け装置の取付けユニット８を示している。取付けユニット８は、保持区間１９を有する。橋絡片９、１０は、保持区間１０の両側に向かってかつ反対方向に構成されている。保持区間１９は、大体においてプラットフォーム状に形成されている。これは、２つのストッパ２０、２１を有し、これらのストッパは、大体においてチェーン部材１の長手方向に対して横向きに延びている。保持区間１９とストッパ２０、２１は、図１及び２から明らかなように、横棒７がストッパ２０、２１の間に配置されているように構成されている。ストッパ２０、２１は、フィンによって形成されている。取付けユニット８の保持区間１９は、２つの収容部２２、２３を有し、これらの収容部内に横棒７の係止突起１３、１４が噛み合っている。収容部２２、２３は、図５から明らかなように、側方切り欠きによって形成されている。
保持区間１９の厚さは、なるべく横棒７の下側と縁面４との間に保持区間１９を配置することができるように選定されている。
今度は、図６、７及び８に示された取付け装置の第２の構成を引用する。取付け装置は、チェーン部材１及び取付けユニット８を有する。チェーン部材は、互いに間隔を置いた互いに対向する２つのチェーン片２、３、及びチェーン片を結合する横棒７を有する。取付けユニット８は、チェーン部材１の長手方向に延びた互いに間隔を置いた橋絡片１０を有する。取付けユニット８及び横棒７は、共同動作する結合手段を有し、それにより取付けユニット８は、チェーン部材１内に内方に向いた橋絡片１０とともに横棒７に結合可能である。図６ないし８に示された取付け装置の構成は、横棒７と取付けユニット８の結合に関して、大体において図１ないし５に示された取付け装置に対応している。図１ないし５に示された取付け装置とは相違して、取付けユニット２４は、チェーン部材１内に内方にだけ延びた橋絡片１０を有する。取付けユニット２４は、互いに間隔を置いて構成された２つのストッパ２０、２１を備えた保持区間１９を有する。ストッパ２０、２１は、横棒７の長手縁に接している。横棒７は、係止突起１３、１４を有し、これらの係止突起は、結合ユニット２４の保持区間１９内に形成された収容部２２、２３内に噛み合っている。
図９及び１０に示すような取付け装置は、取付けユニット２５は、図１１に相応して示されている。取付けユニット２５は、保持区間１９を有し、この保持区間は、チェーン片２、３の間の全間隔にわたって延びている。保持区間１９に穴状の収容部２２、２３が形成されており、これらの収容部内に係止突起１３、１４が突出している。収容部２２、２３の内側輪郭は、係止突起１３、１４の外側輪郭に相当する。係止突起１３、１４は、異なった幾何学的構造であってもよく、それにより取付けユニット２５は、あらかじめ決められた位置においてのみ、チェーン部材１に結合することができる。
チェーン片２、３の間の間隔が比較的小さい際に、図１２に示すように、１つの収容部２６による係止突起１３、１４が形成されると目的に合っている。図１１又は１２による取付けユニット８に結合可能な横棒７を有するチェーン部材は、図１３に示されている。
図１４ないし１７に、取付け装置に有利に適したチェーン部材１の構成が示されている。チェーン部材１は、互いに間隔を置いた互いに対向する２つのチェーン片２、３を有する。チェーン片２、３は、横棒７によって互いに結合されている。横棒７は、係止突起１３、１４を有する。係止突起は、大体においてチェーン部材１の長手方向に対して横向きに延びた共通の直線上に形成されている。それぞれの係止突起１３、１４は、通過穴１７、１８を有する。係止突起１３、１４の端面は、チェーン部材１の縁面４と同一面内にある。横棒７の範囲においてそれぞれのチェーン片２、３は、切り欠き２７を有する。切り欠き２７は、取付けユニット８を形状及び／又は力結合して保持するために使われる。なるべく切り欠き２７は、図１７から明らかなように、横断面においてダブテール形に形成されている。切り欠き２７内に噛み合った取付けユニット８の区間は、なるべく対応する外側輪郭を有する。
【図１】
0003707500.tif 000002
【図２】
0003707500.tif 000003
【図３】
0003707500.tif 000004
【図４】
0003707500.tif 000005
【図５】
0003707500.tif 000006
【図６】
0003707500.tif 000007
【図７】
0003707500.tif 000008
【図８】
0003707500.tif 000009
【図９】
0003707500.tif 000010
【図１０】
0003707500.tif 000011
【図１１】
0003707500.tif 000012
【図１２】
0003707500.tif 000013
【図１３】
0003707500.tif 000014
【図１４】
0003707500.tif 000015
【図１５】
0003707500.tif 000016
【図１６】
0003707500.tif 000017
【図１７】
0003707500.tif 000018